(57)【要約】【課題】パッキンの損傷を低減する。【解決手段】撮像装置は、撮像装置の本体に収納される収納位置と、収納位置から突出した突出位置とを有し、被写体を照明する発光部と、発光部を先端部に支持する支持軸を有し、発光部が収納位置と突出位置との間を移動するように支持軸を軸方向に移動させる支持部と、支持軸の外周に密接するパッキンと、支持軸の外周に当接するリップ先端部を有し、パッキンよりも発光部の近くに設けられるシール部と、を備える。【選択図】図２
2015041835.tif 000002
【特許請求の範囲】
【請求項１】
撮像装置の本体に収納される収納位置と、前記収納位置から突出した突出位置とを有し、被写体を照明する発光部と、
前記発光部を先端部に支持する支持軸を有し、前記発光部が前記収納位置と前記突出位置との間を移動するように前記支持軸を軸方向に移動させる支持部と、
前記支持軸の外周に密接するパッキンと、
前記支持軸の外周に当接するリップ先端部を有し、前記パッキンよりも前記発光部の近くに設けられるシール部と、
を備えることを特徴とする撮像装置。
【請求項２】
請求項１に記載の撮像装置において、
前記シール部は、第１端から前記リップ先端部が突出し、外部からの水圧を受けて前記第１端に対向する第２端を中心に回動するように撓むレッグ部をさらに有することを特徴とする撮像装置。
【請求項３】
請求項２に記載の撮像装置において、
前記リップ先端部は、外部から水圧を受ける第１リップ面と、前記レッグ部の回動に応じて密封面を形成する第２リップ面と、を有することを特徴とする撮像装置。
【請求項４】
請求項２または３に記載の撮像装置において、
前記シール部は、前記レッグ部の前記第１端から突出する突起部をさらに有し、
前記パッキンを前記発光部側から押止すると共に、前記レッグ部が所定角度以上回動すると前記突起部が嵌挿される切り欠き部を有するパッキン用押止部をさらに備えることを特徴とする撮像装置。
【請求項５】
請求項４に記載の撮像装置において、
前記シール部は、前記レッグ部の前記第２端から突出し、前記第２端の近傍に溝部を有する鍔部をさらに有し、
前記パッキン用押止部は、前記溝部に嵌挿される凸部をさらに有し、
前記撮像装置は、前記鍔部を前記発光部側から前記パッキン用押止部に向けて押止するシール用押止部をさらに備えることを特徴とする撮像装置。
【発明の詳細な説明】
【技術分野】
【０００１】
本発明は撮像装置に関する。
【背景技術】
【０００２】
ストロボ装置を先端に支持する支持軸を有し、支持軸を軸方向に伸縮させることでストロボ装置の位置を変更する防水カメラが知られている（特許文献１）。特許文献１では、支持軸をつたって水等がカメラ本体内に浸入することを防ぐため、パッキンが支持軸の外周に接触するように設けられている。
【先行技術文献】
【特許文献】
【０００３】
【特許文献１】実開昭６０−１００７３９号公報
【発明の概要】
【発明が解決しようとする課題】
【０００４】
特許文献１のように、支持軸の防水をパッキン単体で行う場合、支持軸によるパッキンの圧縮量を十分大きく設定する必要がある。しかし、パッキンの圧縮量を大きく設定すると、支持軸に加わる摩擦力が大きくなり、パッキンの摩耗が早まる。また、外部からの異物などにより、パッキンが損傷する虞がある。
【課題を解決するための手段】
【０００５】
本発明による撮像装置は、撮像装置の本体に収納される収納位置と、収納位置から突出した突出位置とを有し、被写体を照明する発光部と、発光部を先端部に支持する支持軸を有し、発光部が収納位置と突出位置との間を移動するように支持軸を軸方向に移動させる支持部と、支持軸の外周に密接するパッキンと、支持軸の外周に当接するリップ先端部を有し、パッキンよりも発光部の近くに設けられるシール部と、を備えることを特徴とする。
【発明の効果】
【０００６】
本発明によれば、パッキンの損傷を低減することができる。
【図面の簡単な説明】
【０００７】
【図１】本発明の一実施の形態による撮像装置の一構成例を示す図である。
【図２】ポップアップ後の発光装置を模式的に示した図である。
【図３】リップシールとその周囲の概略拡大図である。
【図４】水圧で撓んだリップシールとその周囲の概略拡大図である。
【発明を実施するための形態】
【０００８】
図１は、本発明の一実施の形態による撮像装置の一構成例を示す図である。図１に例示する撮像装置は、防水性を有するレンズ交換式のデジタルカメラ１であって、交換レンズ１０とカメラボディ２０とを備える。交換レンズ１０は、防水性を有し、カメラボディ２０に交換可能に装着される。図１は、交換レンズ１０がカメラボディ２０に装着された状態を示している。
【０００９】
カメラボディ２０は、防水性を有し、発光装置２１と、ロック機構２２と、ロック解除スイッチ２３と、レリーズスイッチ２４とを備える。カメラボディ２０は、本体上面に開口を有する凹形状の収納部２５を有する。収納部２５には、図示のように、発光装置２１を収納することができる。
【００１０】
発光装置２１は、ストロボ、フラッシュなどであって、バネ等（図１には不図示）により上方向に付勢されている。発光装置２１は、図示のように収納部２５に収納されているとき、ロック機構２２によりロックされている。ロック機構２２によるロックが解除された場合、たとえば、ユーザがロック解除スイッチ２３を操作した場合には、発光装置２１は、付勢力により上方向に跳ね上がる（ポップアップする）。ポップアップして収納位置から突出した発光装置２１は、ロック機構２２により再びロックされる。ポップアップ後の発光装置２１は、発光光束が交換レンズ１０によりケラレが発生することなく被写体を照明することができる。
【００１１】
図２は、ポップアップ後の発光装置２１を模式的に示した図である。発光装置２１は、支持軸２７の先端に支持されている。支持軸２７は、バネ等により構成される付勢部２６により、上方向に付勢されている。また、支持軸２７の内側には、不図示の電気配線が設けられており、発光装置２１に給電している。
【００１２】
収納部２５の底面には、支持軸２７を通す貫通孔が設けられている。デジタルカメラ１を水中で用いる場合、収納部２５には水や異物が浸入する。収納部２５に溜まった水や異物が貫通孔を通してカメラボディ２０の内部に浸入しないようにするため、カメラボディ２０は、防水構造２８を備える。
【００１３】
防水構造２８は、パッキン２８１とリップシール２８３を有する。パッキン２８１は、たとえばＯリングで構成され、支持軸２７の外周に密接しており、貫通孔の側壁と支持軸２７の外周とにより所定の力で圧縮されている。
【００１４】
リップシール２８３は、ゴムなどの可撓性材料で形成された環状のシール部材であって、支持軸２７の外周に当接している。リップシール２８３は、パッキン２８１より発光装置２１に近い位置に設けられている。
【００１５】
パッキン２８１は、パッキン用押さえ板２８２により上部から押止されている。リップシール２８３は、パッキン用押さえ板２８２よりも上部に設けられ、リップシール用押さえ板２８４により上部から押止されている。
【００１６】
図３は、収納部２５に水が浸入していない状態におけるリップシール２８３とその周囲の概略拡大図である。図３に示すように、リップシール２８３は、リップ先端部３１と、レッグ部３２と、鍔部３３と、突起部３４とを有する。
【００１７】
リップ先端部３１は、第１面３１ａと第２面３１ｂと第３面３１ｃとを有する。第１面３１ａは、外部に露出しており、収納部２５に水が浸入すると水圧を受ける。第２面３１ｂは、支持軸２７の外周に当接している。第３面３１ｃは、第１面３１ａと第２面３１ｂとの間に介在し、植毛部４１が設けられている。植毛部４１の毛は、支持軸２７に接触しており、異物がリップ先端部３１と支持軸２７との間に浸入することを防いでいる。
【００１８】
第２面３１ｂと支持軸２７とがパッキン用押さえ板側に成す角度θ１と、第２面３１ｂと第３面３１ｃとがパッキン用押さえ板側に成す角度θ２との和θ１＋θ２は、９０度未満である。また、第２面３１ｂと第３面３１ｃとによって形成される角部４２は、丸み無く形成されている。θ１＋θ２が９０度未満となり、角部４２が丸み無く形成されているため、リップ先端部３１には、支持軸２７の外周から離す方向に水圧が加わらない。
【００１９】
レッグ部３２は、第１端３２ａにリップ先端部３１と突起部３４が設けられており、第１端３２ａに対向する第２端３２ｂに鍔部３３が設けられている。レッグ部３２は、水圧により撓み、図４に模式的に示すように第２端３２ｂの近傍を中心に回動する（倒れ込む）。図４に示すようにレッグ部３２が水圧に応じて回動すると、リップ先端部３１の第２面３１ｂが支持軸２７の外周に押し付けられて、密封面を形成する。
【００２０】
鍔部３３は、パッキン用押さえ板２８２とリップシール用押さえ板２８４との間に挟まれており、レッグ部３２の回動によってもほとんど変形しない。また、鍔部３３は、溝部３３ａを有し、パッキン用押さえ板２８２から突設する凸部５１ａがこの溝部３３ａに嵌る。溝部３３ａを凸部５１ａに嵌合させることにより、リップシール２８３の装着位置が一意に定めることができると共に、レッグ部３２の回動に伴って鍔部３３が支持軸２７のラジアル方向に移動することを防ぐことができる。
【００２１】
パッキン用押さえ板２８２は、支持軸２７を通す開口部の近傍に切り欠き部５２を有する。この切り欠き部５２には、レッグ部３２が所定角度以上回動したとき、図４に示すように、突起部３４が嵌挿される。突起部３４が切り欠き部５２に嵌挿されることにより、防水性が向上すると共に、リップ先端部３１の角部４２が水圧により第２面３１ｂと支持軸２７の外周との間に押し込められることを防ぐことができる。
【００２２】
リップ先端部３１は、レッグ部３２の第１端３２ａからの長さが突起部３４よりも長い。リップ先端部３１が長いことにより、水圧を受ける第１面３１ａの面積が大きくなり、より水深が浅い場所でも第２面３１ｂを支持軸２７の外周に密接させることができる。
【００２３】
図１〜図４を用いて発光装置２１の防水構造２８の動作について説明する。以降の動作の説明では、デジタルカメラ１は、初期状態では、図１のように発光装置２１が収納部２５に収納されている。
【００２４】
ユーザは、発光装置２１を用いる撮影を行う場合、ロック解除スイッチ２３を操作して発光装置２１のロックを解除する。発光装置２１のロックが解除されると、付勢部２６による付勢力により発光装置２１と支持軸２７が収納位置から図２に示す突出位置までポップアップする。
【００２５】
収納部２５に水などが浸入していない場合、たとえばデジタルカメラ１が空中にある場合、リップシール２８３は図３に示す状態にある。リップシール２８３の第３面３１ｃに設けられた植毛部４１の毛が支持軸２７を通す穴からカメラボディ２０の内部への砂や土などの異物の浸入を防ぐ。
【００２６】
デジタルカメラ１が水中に入ると、リップ先端部３１の第１面３１ａやレッグ部３２が水圧を受け始める。水深が浅い間、たとえば水圧が１気圧未満の場合、すなわち水深が１０ｍ未満の場合、防水構造２８は、パッキン２８１により防水性を確保すると共に、リップ先端部３１の第２面３１ｂが支持軸２７に当接して異物などによる損傷からパッキン２８１を保護する。
【００２７】
水深が深くなり、水圧が１気圧を超えると、図４に示すように、リップシール２８３のレッグ部３２が倒れ込み、リップ先端部３１の第２面３１ｂが支持軸２７に押し付けられ、密封面が増加する。このとき、防水構造２８は、リップシール２８３を用いて、カメラボディ２０の内部への水や異物の浸入を防ぐ。
【００２８】
水圧が高い場所ではパッキン２８１に代わってリップシール２８３により防水を行うことにより、パッキン２８１の圧縮量を低い水圧（たとえば、１気圧）に合わせて設計することができ、支持軸２７とパッキン２８１との間の摩擦抵抗を小さくすることができる。支持軸２７とパッキン２８１との間の摩擦抵抗を小さくすることにより、パッキン２８１の摩耗を抑制することが可能となり、さらに発光装置２１および支持軸２７をポップアップさせるために必要となる付勢力を小さくすることができる。
【００２９】
以上で説明した実施の形態によれば、以下の作用効果が得られる。
本発明の一実施の形態によるデジタルカメラ１は、支持軸２７の軸方向にポップアップすることができる発光装置２１を有しており、防水構造２８として、支持軸２７の外周に接触するパッキン２８１と、リップシール２８３を備える。リップシール２８３は、支持軸２７の外周に当接するリップ先端部３１を有し、パッキン２８１よりも発光装置２１の近くに設けられている。発光装置２１の近くに設けられているリップシール２８３によりパッキン２８１が異物から保護されると共に、リップシール２８３を用いて防水性能を補うことにより、パッキン２８１の圧縮量を抑制することができる。そのため、異物や摩耗によるパッキン２８１の損傷を低減することができる。
【００３０】
以上で説明した実施の形態は、以下のように変形して実施できる。
〔変形例１〕上記の実施の形態では、レンズ交換式のカメラシステムに本発明を適用する場合について説明したが、ポップアップ式の発光装置２１を備える撮像装置であれば他の撮像装置に本発明を適用することにしてもよい。たとえば、レンズ鏡筒をカメラボディに備えるコンパクトデジタルカメラに本発明を適用することにしてもよい。
〔変形例２〕リップシール２８３の各部の形状は、図３に示したものだけに限定しない。たとえば、リップ先端部３１は、第３面３１ｃと植毛部４１を設けず、第１面３１ａと第２面３１ｂとが直接接触する形状にしてもよい。レッグ部３２は、容易に倒れ込むことができるように、第２端３２ｂの近傍に切り込み等を設けてもよい。突起部３４は、パッキン用押さえ板２８２の切り欠き部５２に嵌挿可能な形状であれば如何なる形状であってもよい。
〔変形例３〕上記の実施の形態では、防水構造２８は、パッキン２８１とリップシール２８３とを用いて支持軸２７を通す貫通孔に対する防水を行った。しかし、防水構造２８は、三つ以上のシール部材を用いて支持軸２７を通す貫通孔に対する防水を行うことにしてもよい。
〔変形例４〕本発明は、発光装置２１を先端に支持する支持軸２７以外の駆動軸に関わる防水にも応用することができる。
【００３１】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００３２】
１  デジタルカメラ、１０  交換レンズ、２０  カメラボディ、２１  発光装置、２５  収納部、２６  付勢部、２７  支持軸、２８  防水構造、３１  リップ先端部、３１ａ  第１面、３１ｂ  第２面、３２  レッグ部、３３  鍔部、３４  突起部、４１  植毛部、４２  角部、５２  切り欠き部、２８１  パッキン、２８２  パッキン用押さえ板、２８３  リップシール、２８４  リップシール用押さえ板
【図１】
2015041835.tif 000003
【図２】
2015041835.tif 000004
【図３】
2015041835.tif 000005
【図４】
2015041835.tif 000006